(57)【要約】【課題】  電気・電子機器を組込んで一体化し、この一体化したものを車両のボディに取付けるだけの作業ですむとともに、配線の接続作業を容易にし、さらに防水化を容易に図れるようにする。【解決手段】  防水性が図られたケース２にライセンスランプ２０、バックドア開閉スイッチ３０などの所望の電気・電子機器を組込み、これら電気・電子機器の配線をひとつのコネクタ３に集約させて接続するとともに、このコネクタ３を車両の電源からの配線に接続させるためケース２から突出させておき車両のボディ１００に形成されたジョイント孔４に挿入し、コネクタ３が突出する側と反対側のケース２をガーニッシュ本体１に固着し、ケース２を車両用バックドアに取付ける際にコネクタ３が挿入されるジョイント孔４に防水シール材５を設けた。【選択図】  図１
2006232017.tif 000002
【特許請求の範囲】
【請求項１】
防水性が図られたケースにライセンスランプ、バックドア開閉スイッチなどの所望の電気・電子機器を組込み、
これら電気・電子機器の配線をひとつのコネクタに集約させて接続するとともに、このコネクタを車両の電源からの配線に接続させるためケースから突出させておき車両のボディに形成されたジョイント孔に挿入し、
前記コネクタが突出する側と反対側のケースをガーニッシュ本体に固着し、
前記ケースを車両用バックドアに取付ける際に前記コネクタが挿入されるジョイント孔に防水シール材を設けたことを特徴とする車両用バックドアのガーニッシュ。
【請求項２】
前記ケースにバックモニタカメラを組込んだことを特徴とする請求項１に記載の車両用バックドアのガーニッシュ。
【請求項３】
前記ライセンスランプとドア開閉スイッチの配線として印刷したプリント基板を使用し、このプリント基板にコネクタを実装して配線を集約したことを特徴とする請求項１又は２に記載の車両用バックドアのガーニッシュ。
【発明の詳細な説明】
【技術分野】
【０００１】
本発明は、車両のライセンスプレート近くの上方位置に配設される車両用バックドアのガーニッシュに関する。
【背景技術】
【０００２】
ワンボックスカー等の後部でライセンスプレートの上方位置には、ライセンスプレートの夜間照明用ランプを組込み、かつ手をかけてバックドアを開けるよう把手の機能をも併用させたガーニッシュが存在する。こうしたガーニッシュは、従来、いろいろな部品を組立てて製作してきた。このような従来品は構成部品が多くコスト高になっていた。さらに、補強リブがあっても、インジェクション成形のため剛性がなく、バックドアを開ける時にガーニッシュ本体が変形し易かった。剛性を確保しようとリブを追加すると、ヒケが発生し易かった。
【０００３】
そこで、部品点数が少なく高剛性にして変形の少ないランプケース一体ガーニッシュが開発された。これは、ライセンスランプの取付孔を有して少なくとも下面部を透明にした空洞体でライセンスプレート用ランプケースを形成し、該ランプケースがブロー成形される中空のガーニッシュ体と一体化されてなるものである（特許文献１参照）。
【０００４】
しかしながら、最近の自動車は、さらにエレクトロニクス化、高級化が進み、バックドアやトランクルームを開けるのに把手の操作ではなく、開閉スイッチをガーニッシュの個所に設けておき、スイッチ操作で開けるようにしたものが増えている。このようなものでは、図１１に示すように、車両用のボディ（バックドア）１００にガーニッシュ本体２００を取付けるための取付孔１０１、ライセンスランプ２０を取付けるためのランプ取付孔１０２、バックドア開閉スイッチ３０の配線のためのグロメット３１を取付けるグロメット固定孔１０３をあける必要があり、各孔には防水性を図るための手段を施す必要があり、少なくともランプ取付孔１０２の個所には防水シール材１０４を設けていた。ライセンスランプ２０やバックドア開閉スイッチ３０をガーニッシュ本体２００と一体化してあっても、図１１に示すように、ランプ取付孔１０２及びグロメット固定孔１０３の個所で車両の電源からの配線と接続させ、かつ防水を図っていた。
【特許文献１】特開２００１−１８０３７１号公報（第２頁、図２）
【発明の開示】
【発明が解決しようとする課題】
【０００５】
特許文献１に公開された技術のように、ライセンスランプが取付けられたケースがガーニッシュに一体化され、この一体化されたものを車両用バックドアに取付けるだけでよいものの利点、すなわち部品点数が少なく、取付作業も容易であることを活かしつつ、バックドア開閉スイッチも一体化したガーニッシュを図１１に示すような方法で取付けると、防水を図るための部品の増加と部品取付作業や配線接続作業の煩雑化が避けられなかった。
【０００６】
そこで、本発明は、ライセンスランプのみならずバックドア開閉スイッチなどの電気・電子機器を組込んで一体化して取付作業並びに配線の接続作業を容易にし、かつ簡単に防水化を図った車両用バックドアのガーニッシュを提供することを目的とする。
【課題を解決するための手段】
【０００７】
上述の目的を達成するため、本発明は、防水性が図られたケースにライセンスランプ、バックドア開閉スイッチなどの所望の電気・電子機器を組込み、これら電気・電子機器の配線をひとつのコネクタに集約させて接続するとともに、このコネクタを車両の電源からの配線に接続させるためケースから突出させておき車両のボディに形成されたジョイント孔に挿入し、前記コネクタが突出する側と反対側のケースをガーニッシュ本体に固着し、前記ケースを車両用バックドアに取付ける際に前記コネクタが挿入されるジョイント孔に防水シール材を設けたものである。
【発明の効果】
【０００８】
本発明によれば、防水性が図られたケースにライセンスランプ、バックドア開閉スイッチなどの所望の電気・電子機器を組込み、これら電気・電子機器の配線をひとつのコネクタに集約させて接続するとともに、このコネクタを車両の電源からの配線に接続させるためケースから突出させておき車両のボディに形成されたジョイント孔に挿入し、前記コネクタが突出する側と反対側のケースをガーニッシュ本体に固着し、前記ケースを車両用バックドアに取付ける際に前記コネクタが挿入されるジョイント孔に防水シール材を設けたので、各種機器とガーニッシュとが一体化され、この一体化されたものを車両のバックドアに取付けるだけでいいので取付作業が簡単になる。また、取付時に、車両の電源からの配線は、ジョイント孔へ挿入されるコネクタに接続されるだけであり、何個所も接続作業を行う必要がなくなる。さらに、防水を図るのも、このひとつのコネクタ部分のみで十分であるため、防水作業も手間が省ける。
【発明を実施するための最良の形態】
【０００９】
以下に、この発明の好適な実施形態を図面を参照にして説明する。
【００１０】
図１において、車両のバックドアであるボディ１００には、ガーニッシュ締結用の取付孔１０１とコネクタ挿入用のジョイント孔４だけを形成してあり、従来のようなライセンスランプ２０のランプ取付孔１０２やグロメット固定孔１０３が不要となっている。ガーニッシュ本体１にケース２が固着され、一体化され、このケース２、ライセンスランプ２０、バックドア開閉スイッチ３０などの電気・電子機器を組込んである。また、防水性が図られたケース２に組込まれた電気・電子機器の配線をひとつのコネクタ３に集約させて接続するとともに、このコネクタ３を車両の電源からの配線に接続させるためケース２から外部へ突出させてある。このコネクタ３の突出部分は、車両のボディ１００に形成されたジョイント孔４に挿入するようになっている。また、ケース２の一部とコネクタ３が挿入されるジョイント孔４の入口側に防水シール材５を設け、この個所での防水を図っている。なお、外部に一部が露出する開閉スイッチ３０は、それ自体に防水性を備えたものを使用する。この図１において、符号６は取付孔１０１に挿入されてガーニッシュ本体１をボディ１００に取付けるための締結用ネジを示す。
【００１１】
図２はボディ１００にガーニッシュを取付けた状態の簡略側断面であり、この実施例ではケース２を下ケース２Ａと上ケース２Ｂとから構成してあり、このケース２に従来と同様のライセンスランプ２０やドア開閉スイッチ３０などの電気・電子機器を組込み、この場合ドア開閉スイッチ３０はスイッチボタンが、下ケース２Ａにあけた孔などから外部に露出されている。
【００１２】
図３はガーニッシュ本体１に下ケース２Ａ、上ケース２Ｂを一体化する前の分解斜視図を示すものである。それぞれは樹脂成形品であり、ケース２は透明樹脂または２色成形法で成形されることが好ましい。
【００１３】
ガーニッシュ本体１とケース２との一体化は、例えば、図４に示すようにガーニッシュ本体１に上下一対の係止爪７を設け、ケース２の上側と下側に係止爪７が係止する溝８を形成し、この係止爪７の溝８への係止によりケース２をガーニッシュ本体１と一体化することができる。
【００１４】
図５はケース２にピン９を形成しておき、このピン９に嵌まり込む孔を持ったロック板１０をガーニッシュ本体１に形成しておき、ロック板１０とピン９とのロックにより両者の一体化を図ることもできる。
【００１５】
図６及び図７は、ケース２の構成を変更した例を示すものであり、ガーニッシュ本体１側に箱状部１１を成形しておき、この箱状部１１にケース２の後側を図８に示すようにレーザー溶接して接合した例を示す。このレーザー溶接個所を符号Ａで示す。
【００１６】
図９はバックモニタカメラ４０とその配線４１を示し、このようなバックモニタカメラ４０も電気・電子機器の一種としてケース２に組込むことができる。
【００１７】
図１０はケース２の内部配線方法として、ドア開閉スイッチ３０及びライセンスランプ２０の配線を印刷したプリント基板１２を使用し、これにコネクタ３を実装して配線を集約し、配線工程数の削減を図ることができる。図１０においてカメラ用コネクタ４２もプリント基板１２に実装してあり、コネクタ３に接続することで配線工程数の削減を図ることができる。このガーニッシュに組込むことができる電気・電子機器としては、キーレス送受信手段や種々のセンサーなども考えられる。
【図面の簡単な説明】
【００１８】
【図１】本発明の好適な実施形態を示す斜視図。
【図２】ボディに取付けた状態の簡略側断面図。
【図３】ガーニッシュの分解斜視図。
【図４】ガーニッシュ本体とケースとの一体化手段の一例を示す拡大断面図。
【図５】他の一体化手段を示す拡大断面図。
【図６】他の実施形態を示す簡略側断面図。
【図７】図６におけるガーニッシュの分解斜視図。
【図８】ガーニッシュ本体とケースとの接合手段の他の例を示す拡大断面図。
【図９】ガーニッシュに組込んで好適なバックモニタカメラの斜視図。
【図１０】プリント基板とコネクタの関係を示す斜視図。
【図１１】従来例を示す斜視図。
【符号の説明】
【００１９】
１    ガーニッシュ本体
２    ケース
３    コネクタ
４    ジョイント孔
５    防水シール材
１２  プリント基板
２０  ライセンスランプ
３０  ドア開閉スイッチ
４０  バックモニタカメラ
１００  ボディ
【図１】
2006232017.tif 000003
【図２】
2006232017.tif 000004
【図３】
2006232017.tif 000005
【図４】
2006232017.tif 000006
【図５】
2006232017.tif 000007
【図６】
2006232017.tif 000008
【図７】
2006232017.tif 000009
【図８】
2006232017.tif 000010
【図９】
2006232017.tif 000011
【図１０】
2006232017.tif 000012
【図１１】
2006232017.tif 000013